(57)【要約】【課題】   頭部及び頸部の安定姿勢を保つことにより、睡眠時に口呼吸ではなく鼻呼吸へ導き、いびきを解消し快い睡眠を実現する下あご支え枕を提供する。【解決手段】ポリエステル綿等を加熱圧縮成形機で成形した素材を使用して、枕を三層構造とし、中間部の第二層を平板でなく、細片によって構成することにより、使用時の頭の位置を安定させることにより下あご支え、いびき防止に効果を発する下あご支え枕を実現する。【選択図】  図１
0003170801.tif 000002
【実用新案登録請求の範囲】
【請求項１】
ポリエステル綿等を加熱圧縮成形機で製造した硬綿を使用素材として用いた最下部の第一層、枕中央部を対称軸として、素材の細片をほぼ対称に配置した中間部の第二層、及び、第一層とほぼ同様の形状とした枕最上部の第三層からなり、頭頂部分が肩当部分より高くなる形状を備えることを特徴とする枕。
【請求項２】
枕最下部第一層の中央部に切り込みをいれたことを特徴とする請求項１記載の枕。
【考案の詳細な説明】
【技術分野】
【０００１】
本考案は、人が睡眠の際に使用する枕に関し、特に使用者が快眠を達成するため枕の高さおよび硬さ、角度等を調整可能にした快眠枕に関するものである。
【背景技術】
【０００２】
従来、一般的に使用されている枕は、布によって形成された袋の中に籾、そばから、ナイロン綿、羽毛、パンヤ、低反発ウレタン、綿等を詰めて所定の高さ、大きさに形成されているが、こうした枕は、寝返りを繰り返す中で形崩れ、場合によっては、不眠症などを引き起こす。
【考案の概要】
【考案が解決しようとする課題】
【０００３】
従来の枕は、睡眠中に正しい姿勢が保持できず、不自然なイビキ等を誘発し呼吸器障害の遠因となる、あるいはやわらかすぎる枕は、睡眠中に形状が変形し安眠の妨げとなるなどの問題点があった。
本考案は、頭部及び頸部の安定姿勢を保つことにより、睡眠時に口呼吸ではなく鼻呼吸へ導き、いびきを解消し快い睡眠を実現する下あご支え枕を提供する。
【課題を解決するための手段】
【０００４】
ポリエステル綿等を加熱圧縮成形機で製造した硬綿を素材として用い、肩に当たる部分を湾曲線で形成した最下部の第一層、素材の細片を枕中央部を対称軸として、ほぼ対称に配置した中間部の第二層、及び第一層とほぼ同様の形状とした枕最上部の第三層からなり、頭頂部が肩当て部分より高くなる形状を備えることを特徴とする下あご支え枕。
【考案の効果】
【０００５】
本考案の下あご支え枕は、枕の素材が硬綿で頭の重さを支え、5〜45度の傾斜角度を備えることで下あご及び首のシワを防ぎ、また、頭部の形状に合わせて細片を配置した平床突起台座をつけることで頭の沈み込みを防ぐことができ、一夜に20〜30回行われる寝返りもスムーズに打てて、全身の伸び、口のかみ合わせがよくでき、口呼吸でなく鼻呼吸になることにより呼吸が深くなり全身に酸素を取り込むことができるようになる。
【図面の簡単な説明】
【０００６】
【図１】第１の考案枕の斜視図
【図２】第１の考案枕の正面図
【図３】第１の考案枕の平面図
【図４】第１の考案枕の左側面図
【図５】図２A−Aの断面図
【図６】第２の考案枕の斜視図
【図７】第２の考案枕の正面図
【図８】第２の考案枕の平面図
【図９】第２の考案枕の左側面図
【図１０】図７B−Bの断面図
【図１１】第２の考案の実施例
【考案を実施するための形態】
【０００７】
図１は、第１の考案による枕の斜視図であり、図２は正面図、図３は平面図、図４は左側面図、図５は図２のＡ−Ａ断面図である。
【０００８】
図１において、枕の最下層の第一層１は、ポリエステル綿等を加熱圧縮成形機で製造した素材で形成されており、おおよその大きさは、縦３０センチ、横５０センチ、厚さ１．６センチであり、肩当て部は湾曲線の形状とする。
【０００９】
同様に図１の最上部の第三層３も第一層１と同じ素材を使用し、ほぼ同じ大きさと形状であるが、厚さについては、複数の平板状素材を積層して構成し、使用者の状況に合わせて高さの調整を行うようにする。
【００１０】
図１の中間層２も、素材は第一層、第二層と同じであるが、複数の細片４からなり、細片のおおよその大きさは、幅２センチ、厚さ０．８センチ、長さは３から１０センチであり、図４に示すように肩当て部よりも頭頂部の方が高くなる構造とする。
【００１１】
この細片４を図５に示すように、枕中央部を対称軸として、左右にほぼ対称に配置して中間層２を形成することで、頭部の沈み込みを防ぐことができ、一夜に20〜30回行われる寝返りもスムーズに打てて、全身の伸び、口のかみ合わせがよくでき、口呼吸ではく鼻呼吸になることにより呼吸が深くなり全身に酸素を取り込むことができるようになる。
【００１２】
なお第１の考案は、上記のように実施されるが、ここに示した素材、大きさ、形状、第2層の配置は、実施例の一つであり、これに限定されるものではない。
【００１３】
図６は、第２の考案による枕の斜視図であり、図７は正面図、図８は平面図、図９は左側面図、図１０は図７のＢ−Ｂ断面図である。
【００１４】
第２の考案は、概略第１の考案と同様であるが、第１層の肩当て部分に切り込みを設け、枕使用時に頭の位置がより安定するようにしている。
【００１５】
図６において、枕の最下層の第一層６は、ポリエステル綿等を加熱圧縮成形機で製造した素材で形成されており、おおよその大きさは、縦３０センチ、横５０センチ、厚さ１．６センチであり、肩当て部は湾曲線の形状とし、その中央付近に切り込み５を有する。
【００１６】
同様に図６の最上部の第三層８も第一層６と同じ素材を使用し、ほぼ同じ大きさと形状であるが、厚さについては、複数の平板状素材を積層して構成し、使用者の状況に合わせて高さの調整を行うようにする。
【００１７】
図６の中間層７も、素材は第一層、第二層と同じであるが、複数の細片９からなり、細片のおおよその大きさは、幅２センチ、厚さ０．８センチ、長さは３から１０センチであり、肩当て部よりも頭頂部の方が高くなる構造とするが、切り込み部５の周辺には細片９を配置しない。
【００１８】
この細片９を図１０に示すように、枕中央部を対称軸として、左右にほぼ対称に配置して中間層７を形成することで、頭部の沈み込みを防ぐことができ、一夜に20〜30回行われる寝返りもスムーズに打てて、全身の伸び、口のかみ合わせがよくでき、口呼吸ではく鼻呼吸になることにより呼吸が深くなり全身に酸素を取り込むことができるようになる。
【００１９】
第２の考案では、第１層の肩当て部側中央部に切り込み５を設けているので、枕の使用時に、頭部の重みで沈み込み、頭部位置が安定することで、より快眠が得られるようになる。
【００２０】
なお第２の考案は、上記のように実施されるが、ここに示した素材、大きさ、形状、第2層７の配置は、実施例の一つであり、これに限定されるものではない。
【符号の説明】
【００２１】
１  第１の考案による枕の第一層
２  同上第二層
３  同上第三層
４  第二層を形成する細片
５  第２の考案による切込
６  第２の考案による枕の第一層
７  同上第二層
８  同上第三層
９  第二層を形成する細片
１０  頭頂部分
１１  肩当部分
１２  使用者
【図１】
0003170801.tif 000003
【図２】
0003170801.tif 000004
【図３】
0003170801.tif 000005
【図４】
0003170801.tif 000006
【図５】
0003170801.tif 000007
【図６】
0003170801.tif 000008
【図７】
0003170801.tif 000009
【図８】
0003170801.tif 000010
【図９】
0003170801.tif 000011
【図１０】
0003170801.tif 000012
【図１１】
0003170801.tif 000013